(57)【要約】      （修正有）【課題】外部に画像データを出力する際の利便性を向上させる。【解決手段】ＣＰＵ６１は、ハードウェア資源（スキャナ）によって原稿の画像の読み取りを行わせ、その読み取った画像データをローカルメモリ６７に書き込んで記憶させる。その後、ローカルメモリ６７内の画像データをエンジン部１２０（外部）へ出力する際に、その画像データに埋め込まれている地紋パターン（情報）を検出し、その検出結果により、必要に応じてその画像データに対して加工処理を行う。【選択図】図２
2008072581.tif 000002
【特許請求の範囲】
【請求項１】
画像データを記憶する画像記憶手段と、該画像記憶手段に記憶された画像データを外部へ出力する画像出力手段とを有する画像処理装置であって、
前記画像出力手段によって出力すべき画像データに埋め込まれている情報を検出する情報検出手段と、
該情報検出手段による検出結果により、必要に応じて前記画像出力手段によって出力すべき画像データに対して加工処理を行う加工処理手段とを設けたことを特徴とする画像処理装置。
【請求項２】
請求項１記載の画像処理装置において、
前記画像出力手段の出力に関する情報を外部へ通知する出力情報通知手段と、
前記情報検出手段による検出結果により、前記出力情報通知手段によって通知する情報の範囲を選定する通知情報範囲選定手段とを設けたことを特徴とする画像処理装置。
【請求項３】
請求項１記載の画像処理装置において、
前記画像出力手段の出力に関する情報を外部へ通知する出力情報通知手段と、
前記情報検出手段による検出結果により、前記出力情報通知手段による通知先を選定する通知先選定手段とを設けたことを特徴とする画像処理装置。
【請求項４】
請求項１乃至３のいずれか一項に記載の画像処理装置において、
前記加工処理手段は、前記情報検出手段による検出結果により、必要に応じて前記画像出力手段によって出力すべき画像データに対して異なる加工処理を行うことを特徴とする画像処理装置。
【請求項５】
請求項１乃至４のいずれか一項に記載の画像処理装置において、
前記加工処理手段は、ユーザ権限により、必要に応じて前記画像出力手段によって出力すべき画像データに対して異なる加工処理を行う手段を有することを特徴とする画像処理装置。
【請求項６】
請求項１乃至５のいずれか一項に記載の画像処理装置において、
前記加工処理手段は、前記情報検出手段による検出結果により、前記画像出力手段によって出力すべき画像データを削除する手段を有することを特徴とする画像処理装置。
【発明の詳細な説明】
【技術分野】
【０００１】
この発明は、画像読取装置（例えばスキャナ装置），デジタル複写機，プリンタ装置，ファクシミリ装置，ネットワークファイルサーバ、又はそれらの機能のうち複数の機能を有するデジタル複合機などの画像処理装置に関する。
【背景技術】
【０００２】
画像読取装置では、例えば特許文献１に見られるように、画像データに含まれる地紋パターンにより、画像データの出力を抑制したり、識別コード等の利用により権限を持つコンピュータに送信する機能を有している。
【特許文献１】特開２００４−１６４５３８号公報
【発明の開示】
【発明が解決しようとする課題】
【０００３】
しかしながら、例えば会社のような組織での使用形態において、画像データの出力を一律に抑制するのでは、利便性が損なわれるという問題がある。
この発明は、上記の点に鑑みてなされたものであり、外部に画像データを出力する際の利便性を向上させることを目的とする。
【課題を解決するための手段】
【０００４】
この発明は、画像データを記憶する画像記憶手段と、該画像記憶手段に記憶された画像データを外部へ出力する画像出力手段とを有する画像処理装置であって、上記の目的を達成するため、以下のようにしたことを特徴とする。
請求項１の発明による画像処理装置は、上記画像出力手段によって出力すべき画像データに埋め込まれている情報を検出する情報検出手段と、該情報検出手段による検出結果により、必要に応じて上記画像出力手段によって出力すべき画像データに対して加工処理を行う加工処理手段とを設けたものである。
【０００５】
請求項２の発明による画像処理装置は、請求項１の画像処理装置において、上記画像出力手段の出力に関する情報を外部へ通知する出力情報通知手段と、上記情報検出手段による検出結果により、上記出力情報通知手段によって通知する情報の範囲を選定する通知情報範囲選定手段とを設けたものである。
請求項３の発明による画像処理装置は、請求項１の画像処理装置において、上記画像出力手段の出力に関する情報を外部へ通知する出力情報通知手段と、上記情報検出手段による検出結果により、上記出力情報通知手段による通知先を選定する通知先選定手段とを設けたものである。
【０００６】
請求項４の発明による画像処理装置は、請求項１〜３のいずれかの画像処理装置において、上記加工処理手段が、上記情報検出手段による検出結果により、必要に応じて上記画像出力手段によって出力すべき画像データに対して異なる加工処理を行うものである。
請求項５の発明による画像処理装置は、請求項１〜４のいずれかの画像処理装置において、上記加工処理手段に、ユーザ権限により、必要に応じて上記画像出力手段によって出力すべき画像データに対して異なる加工処理を行う手段を備えたものである。
請求項６の発明による画像処理装置は、請求項１〜５のいずれかの画像処理装置において、上記加工処理手段に、上記情報検出手段による検出結果により、上記画像出力手段によって出力すべき画像データを削除する手段を備えたものである。
【発明の効果】
【０００７】
この発明によれば、画像処理装置が、外部（例えばエンジン部）へ出力すべき画像データに埋め込まれている情報（地紋パターン等）を検出し、その検出結果により、必要に応じて外部へ出力すべき画像データに対して加工処理（例えば塗りつぶしや警告印字）を行うことで、重要な画像データの複写や流布を未然に防いだり、外部への画像データが重要なデータであることをユーザ（操作者）に気づかせ、注意を促すことができるため、外部に画像データを出力する際の利便性を向上させることができる。
【発明を実施するための最良の形態】
【０００８】
以下、この発明を実施するための最良の形態を図面に基づいて具体的に説明する。
まず、この発明による画像処理装置であるデジタル複合機１（融合機）の主にソフトウェア構成について説明する。なお、以下に示す各プログラムによる処理は、実際にはＣＰＵが各プログラムに従って動作することによって実行するが、説明の都合上、それらのプログラムが処理を実行するものとする。
【０００９】
図１は、この発明によるデジタル複合機のソフトウェア構成を中心に示すブロック図である。
このデジタル複合機１は、ソフトウェア群２と、機器起動部３と、ハードウェア資源４とを含むように構成される。
【００１０】
機器起動部３は、デジタル複合機１（機器）の電源投入時に最初に実行され、アプリケーション層５およびプラットフォーム６を起動する。例えば、アプリケーション層５およびプラットフォーム６の各プログラムを外部記憶手段に対応するハードディスク装置（以下「ＨＤＤ」という）等から読み出し、その読み出した各プログラムをメモリ領域に転送して起動する。
【００１１】
ハードウェア資源４は、白黒レーザプリンタ（Ｂ＆Ｗ  ＬＰ）１１と、カラーレーザプリンタ（Ｃｏｌｏｒ  ＬＰ）１２と、スキャナやファクシミリ等のハードウェアリソース１３と、画像変換ハードウエア（ＭＬＣ）４３とを含む。
ソフトウェア群２は、ＵＮＩＸ（登録商標）等のオペレーティングシステム（以下「ＯＳ」という）上に起動されているアプリケーション層５とプラットフォーム６とを含む。アプリケーション層５は、プリンタ，コピー，ファックス，およびスキャナ等の画像形成に関わるユーザサービスにそれぞれ固有の処理を行うプログラムを含む。つまり、プリンタ用のアプリケーションであるプリンタアプリ２１と、コピー用アプリケーションであるコピーアプリ２２と、ファックス用アプリケーションであるファックスアプリ２３と、スキャナ用アプリケーションであるスキャナアプリ２４とを含む。
【００１２】
プラットフォーム６は、アプリケーション層５からの処理要求を解釈してハードウェア資源４の獲得要求を発生するコントロールサービス層９と、１つ以上のハードウェア資源４の管理を行ってコントロールサービス層９からの獲得要求を調停するシステムリソースマネージャ（以下「ＳＲＭ」という）３９と、ＳＲＭ３９からの獲得要求に応じてハードウェア資源４の管理を行うハンドラ層１０とを含む。
【００１３】
コントロールサービス層９は、ネットワークコントロールサービス（以下「ＮＣＳ」という）３１、デリバリーコントロールサービス（以下「ＤＣＳ」という）３２、オペレーションパネルコントロールサービス（以下「ＯＣＳ」という）３３、ファックスコントロールサービス（以下「ＦＣＳ」という）３４、エンジンコントロールサービス（以下「ＥＣＳ」という）３５、メモリコントロールサービス（以下「ＭＣＳ」という）３６、ユーザインフォメーションコントロールサービス（以下「ＵＣＳ」という）３７、システムコントロールサービス（以下「ＳＣＳ」という）３８など、一つ以上のサービスモジュールを含むように構成されている。
【００１４】
なお、プラットフォーム６は、予め定義されている関数により、アプリケーション層５からの処理要求を受信可能とするＡＰＩ５３を有するように構成されている。ＯＳは、アプリケーション層５およびプラットフォーム６の各ソフトウェアをプロセスとして並列実行する。
【００１５】
ＮＣＳ３１のプロセスは、ネットワークＩ／Ｏを必要とするアプリケーションに対して共通に利用できるサービスを提供するものであり、ネットワーク側から各プロトコルによって受信したデータを各アプリケーションに振り分けたり、各アプリケーションからのデータをネットワーク側に送信する際の仲介を行う。例えば、ネットワークを介して接続されるネットワーク機器とのデータ通信をｈｔｔｐｄ（HyperText Transfer Protocol Daemon）によりＨＴＴＰ（HyperText Transfer Protocol）で制御する。
【００１６】
ＤＣＳ３２のプロセスは、蓄積文書の配信等の制御を行う。
ＯＣＳ３３のプロセスは、オペレータと本体制御との間の情報伝達手段となるオペレーションパネルの制御を行う。
ＦＣＳ３４のプロセスは、アプリケーション層５からＰＳＴＮまたはＩＳＤＮ網を利用したファックス送受信、バックアップ用のメモリで管理されている各種ファックスデータの登録／引用、ファックス読み取り、ファックス受信印刷等を行うためのＡＰＩを提供する。
【００１７】
ＥＣＳ３５のプロセスは、白黒レーザプリンタ１１，カラーレーザプリンタ１２，ハードウェアリソース１３等のエンジン部の制御を行う。
ＭＣＳ３６のプロセスは、メモリの取得および開放、ＨＤＤの利用等のメモリ制御を行う。
ＵＣＳ３７は、ユーザ情報の管理を行うものである。
ＳＣＳ３８のプロセスは、アプリケーション管理，操作部制御，システム画面表示，ＬＥＤ表示，ハードウェア資源管理，割り込みアプリケーション制御等の処理を行う。
【００１８】
ＳＲＭ３９のプロセスは、ＳＣＳ３８と共にシステムの制御およびハードウェア資源４の管理を行うものである。例えば、白黒レーザプリンタ１１やカラーレーザプリンタ１２等のハードウェア資源４を利用する上位層からの獲得要求に従って調停を行い、実行制御する。具体的には、獲得要求されたハードウェア資源４が利用可能であるか（他の獲得要求により利用されていないかどうか）を判定し、利用可能であれば獲得要求されたハードウェア資源４が利用可能である旨を上位層に通知する。また、上位層からの獲得要求に対してハードウェア資源４を利用するためのスケジューリングを行い、要求内容（例えばプリンタエンジンによる紙搬送と作像動作，メモリ確保，ファイル生成等）を直接実施している。
【００１９】
ハンドラ層１０は、後述するファックスコントロールユニット（以下「ＦＣＵ」という）の管理を行うファックスコントロールユニットハンドラ（以下「ＦＣＵＨ」という）４０と、プロセスに対するメモリの割り振りおよびプロセスに割り振ったメモリの管理を行うイメージメモリハンドラ（以下「ＩＭＨ」という）４１とを含む。
ＭＥＵ４２は、ＭＬＣ４３の制御を行う。
ＳＲＭ３９およびＦＣＵＨ４０は、予め定義されている関数によりハードウェア資源４に対する処理要求を送信可能とするエンジンＩ／Ｆ５４を利用して、ハードウェア資源４に対する処理要求を行う。
デジタル複合機１は、各アプリケーションで共通的に必要な処理をプラットフォーム６で一元的に処理することができる。
【００２０】
次に、デジタル複合機１のハードウェア構成について説明する。
図２は、図１に示したデジタル複合機１のハードウェア構成を示すブロック構成図である。
このデジタル複合機１は、コントローラ６０と、オペレーションパネル７０と、ＦＣＵ８０と、ＵＳＢデバイス９０と、ＩＥＥＥ１３９４デバイス１００と、ＭＬＣ４３と、図１の白黒レーザプリンタ１１，カラーレーザプリンタ１２，ハードウェアリソース１３を含むエンジン部１２０とを備えている。
【００２１】
コントローラ６０は、ＣＰＵ６１と、システムメモリ（ＭＥＭ−Ｐ）６２と、ノースブリッジ（以下「ＮＢ」という）６３と、サウスブリッジ（以下「ＳＢ」という）６４と、ＡＳＩＣ（Application Specific Integrated Circuit）６６と、ローカルメモリ（ＭＥＭ−Ｃ）６７と、ＨＤＤ６８とを備えている。
オペレーションパネル７０は、コントローラ６０のＡＳＩＣ６６に接続されている。
ＭＬＣ４３，ＦＣＵ８０，ＵＳＢデバイス９０，ＩＥＥＥ１３９４デバイス１００，およびエンジン部１２０は、コントローラ６０のＡＳＩＣ６６にＰＣＩバス１３０で接続されている。
【００２２】
コントローラ６０は、ＡＳＩＣ６６にローカルメモリ６７，ＨＤＤ６８等が接続されると共に、ＣＰＵ６１とＡＳＩＣ６６とがＣＰＵチップセットのＮＢ６３を介して接続されている。このように、ＮＢ６３を介してＣＰＵ６１とＡＳＩＣ６６とを接続すれば、ＣＰＵ６１のインタフェースが公開されていない場合に対応できる。
なお、ＡＳＩＣ６６とＮＢ６３とはＰＣＩバスを介して接続されているのでなく、ＡＧＰ（Accelerated Graphics Port）６５を介して接続されている。このように、図１のアプリケーション層５やプラットフォーム６を形成する一つ以上のプロセスを実行制御するため、ＡＳＩＣ６６とＮＢ６３とを低速のＰＣＩバスでなくＡＧＰ６５を介して接続し、パフォーマンスの低下を防いでいる。
【００２３】
ＣＰＵ６１は、デジタル複合機１の全体制御を行うものであり、図１のＮＣＳ３１，ＤＣＳ３２，ＯＣＳ３３，ＦＣＳ３４，ＥＣＳ３５，ＭＣＳ３６，ＵＣＳ３７，ＳＣＳ３８，ＳＲＭ３９，ＦＣＵＨ４０，ＩＭＨ４１，およびＭＥＵ４２をＯＳ上にそれぞれプロセスとして起動して実行させると共に、アプリケーション層５を形成するプリンタアプリ２１，コピーアプリ２２，ファックスアプリ２３，スキャナアプリ２４を起動して実行させる。
【００２４】
このＣＰＵ６１は、上述した各プログラムを選択的に実行すると共に、必要に応じてハードウェア資源４（オペレーションパネル７０，ＦＣＵ８０，ＵＳＢデバイス９０，ＩＥＥＥ１３９４デバイス１００，又はエンジン部１２０）を制御することにより、この発明に関わる機能である画像出力手段，情報検出手段，加工処理手段，出力情報通知手段，通知情報範囲選定手段，通知先選定手段としての機能を実現できる。
ＮＢ６３は、ＣＰＵ６１，システムメモリ６２，ＳＢ６４，およびＡＳＩＣ６６を接続するためのブリッジである。
【００２５】
システムメモリ６２は、デジタル複合機１の描画用メモリ（画像記憶手段）等として用いるメモリである。
ＳＢ６４は、ＮＢ６３と図示しないＲＯＭ，ＰＣＩバス１３０，周辺デバイスとを接続するためのブリッジである。
ローカルメモリ６７は、コピー用画像バッファ（画像記憶手段）および符号バッファとして用いるメモリである。
【００２６】
次に、このように構成されたデジタル複合機１のＣＰＵ６１によるこの発明に関わる制御の各例（実施例）について、図３〜図６を参照して説明する。
〔第１実施例〕
まず、第１実施例について説明する。
図３は、第１実施例を説明するための図である。
ＣＰＵ６１は、アプリケーション層（アプリ）５のコピーアプリ２２，ファックスアプリ２３，又はスキャナアプリ２４にて印刷要求が発生し、プラットフォーム６を通じてハードウェア資源４（スキャナ）を使用することにより、原稿Ｐの画像の読み取りを行わせる。
【００２７】
そして、その読み取った画像データを図２のローカルメモリ６７（システムメモリ６２又はＨＤＤ６８でもよい）に書き込んで記憶させる。
あるいは、パーソナルコンピュータ（ＰＣ）等の外部機器からプリンタアプリ２１を通じて印刷要求が発生し、プラットフォーム６を通じてハードウェア資源４を使用することにより、外部機器から印刷データ（文字コード等）を受信して画像データ（ビットマップデータ）に変換させ、その画像データをシステムメモリ６２（ローカルメモリ６７又はＨＤＤ６８でもよい）に書き込んで記憶させる。
【００２８】
そして、ローカルメモリ６７又はシステムメモリ６２内の画像データをエンジン部１２０（他の画像形成装置でもよい）へ出力させる際に、その画像データに地紋パターン（他の情報でもよい）が埋め込まれていれば、その地紋パターンを検出し、その検出結果により、外部へ出力すべき画像データに対して塗りつぶしを行ったり、その画像データを警告文書用の画像データである警告文書用データに差し替える等の加工処理を必要に応じて行い、その加工処理を行った画像データ又は加工処理を行っていない画像データ（元画像）をエンジン部１２０へ出力して印刷を行わせる。地紋パターンの検出方法は、例えば特開２００４−１６４５３８号公報に記載されたものを用いるとよい。
【００２９】
この第１実施例によれば、エンジン部（外部）へ出力すべき画像データに埋め込まれている地紋パターンを検出し、その検出結果により、必要に応じてエンジン部へ出力すべき画像データに対して加工処理を行うことで、重要な画像データの複写や流布を未然に防いだり、エンジン部への画像データが重要なデータであることをユーザに気づかせ、注意を促すことができるため、エンジン部に画像データを出力する際の利便性を向上させることができる。
【００３０】
〔第２実施例〕
次に、第２実施例について説明する。
図４は、第２実施例を説明するための図である。
ＣＰＵ６１は、第１実施例の制御に加え、以下の制御も行う。つまり、エンジン部１２０への出力（エンジン部１２０による印刷）に関する情報を外部機器へメール配信（通知）する。このとき、地紋パターンの検出結果により、エンジン部１２０へ出力すべき画像データの重要度を判断し、メール配信（通知）する情報の範囲およびメール配信先を選定する。
【００３１】
ここで、例えば図４に示すように、エンジン部１２０へ出力すべき画像データに埋め込まれている地紋パターンに応じてメール配信のランク付けをする。そして、例えば、上位の管理者によるオペレーションパネル７０上の操作により、管理者に応じたメール配信する情報の範囲を設定したり、地紋パターンに応じたメール配信先の設定を行う。
よって、例えば、検出した地紋パターンが最も重要度の高い地紋パターンＡであった場合には、メール配信する情報の範囲を管理者Ａ用の範囲（例えば全範囲）とし、管理者Ａが使用する外部機器をメール配信先として選択する。また、検出した地紋パターンが重要度の低い地紋パターンＤであった場合には、メール配信する情報の範囲を管理者Ｄ用の範囲とし、管理者Ｄが使用する外部機器をメール配信先として選択する。
【００３２】
この第２実施例によれば、第１実施例と同様の作用効果に加え、以下の作用効果を得られる。つまり、エンジン部への画像データの出力に関する情報を外部機器へメール配信するが、そのメール配信する情報の範囲やメール配信先をその画像データの地紋パターンの検出結果によって選定する。例えば、エンジン部へ出力すべき画像データが重要な画像データであれば、その画像データが複写又は流布されようとしたことを、対象の管理者Ａにのみメール配信する。それによって、エンジン部への画像データの出力（印刷）時のセキュリティを向上させることができる。
【００３３】
〔第３実施例〕
次に、第３実施例について説明する。なお、この第３実施例は第１実施例と若干異なるだけなので、その部分のみ説明する。
図５は、第３実施例を説明するための図である。
ＣＰＵ６１は、例えば図５に示すように、エンジン部１２０へ出力すべき画像データに埋め込まれている地紋パターンに応じて印刷のランク付けをし、その画像データに対して以下の（１）〜（４）に示すようにする。
【００３４】
（１）エンジン部１２０へ出力すべき画像データに埋め込まれている地紋パターンが地紋パターンＡの場合、その画像データに対して塗りつぶしを行う（元画像なし）。
（２）エンジン部１２０へ出力すべき画像データに埋め込まれている地紋パターンが地紋パターンＢの場合、その画像データを予め用意された警告文書用の画像データである警告文書用データ（例えば「秘」）に差し替える（元画像なし）。
（３）エンジン部１２０へ出力すべき画像データが地紋パターンＣの場合、その画像データに対して極秘等の警告印字を行う。
（４）エンジン部１２０へ出力すべき画像データが地紋パターンＤの場合、その画像データに対して何の処理も行わない。
【００３５】
この第３実施例によれば、エンジン部へ出力すべき画像データに埋め込まれている地紋パターンを検出し、その検出結果により、必要に応じてエンジン部へ出力すべき画像データに対して異なる加工処理を行う（加工レベルを変更する）ことで、例えば会社の課内，部内，室内といった組織単位で画像データの複写や配布が行われることになるため、エンジン部に画像データを出力する際の利便性をより向上させることができる。
【００３６】
〔第４実施例〕
次に、第４実施例について説明する。
ＣＰＵ６１は、第２実施例と同様の制御と、第３実施例と同様の制御の両方を行う。
この第４実施例によれば、第２実施例と第３実施例の作用効果を併せたものを得ることができる。
【００３７】
〔第５実施例〕
次に、第５実施例について説明する。
図６は、第５実施例を説明するための図である。
ＣＰＵ６１は、ユーザ操作（ユーザによるオペレーションパネル７０又は外部機器上の操作）によって認証情報（例えばログインユーザ名とログインパスワードの組み合わせ）が入力されると、その認証情報についてのユーザ認証を開始し、入力された認証情報と一致するものがＨＤＤ６８（図示しない不揮発性メモリでもよい）に登録されているか否かをチェックする。
【００３８】
そして、入力された認証情報と一致するものが登録されている場合に、認証情報入力のための操作を行った操作者であるユーザを認証ユーザと判定してユーザ認証が成功と判断し、第１実施例と同様の制御に加え、以下の制御も行う。
すなわち、このデジタル複合機に付属する周辺機器および付帯機能に対するアクセス権限が認証ユーザにあるかないかをチェックし、アクセス権限が認証ユーザになければ、オペレーションパネル７０又は外部機器へ出力すべき画像データに対して塗りつぶしを行ったり、あるいはその画像データを警告文書用データに差し替えるなど、加工処理を行い、アクセス権限が認証ユーザにあれば、オペレーションパネル７０又は外部機器へ出力すべき画像データに対して加工処理は行わない。
【００３９】
そして、加工処理を行った画像データをアクセス権限がない認証ユーザ（操作者）によって参照可能にし、加工処理を行っていない画像データ（元画像）をアクセス権限がある認証ユーザによって参照可能にする。
例えば、それらの画像データをオペレーションパネル７０上にサムネイルで表示させたり、外部機器からネットワーク経由等でそのサムネイルを参照可能にする。
【００４０】
あるいは、それらの画像データの外部機器へのダウンロード時における画像閲覧において、それらの画像データの表示やダウンロードを行えるようにする。
この第５実施例によれば、第１〜第４実施例のいずれかと同様の作用効果に加え、以下の作用効果を得られる。つまり、ユーザ権限により、必要に応じてオペレーションパネル７０又は外部機器エンジン部へ出力すべき画像データに対して異なる加工処理を行うことで、不特定多数のユーザ毎に画像データの参照可否や参照範囲を異ならせたので、外部機器への画像データの出力（表示）時のセキュリティを向上させることができる。
【００４１】
なお、エンジン部１２０へ出力すべき画像データを、それに埋め込まれている地紋パターンの検出結果により、削除することもできる。そうすれば、例えば最重要の画像データの複写や流布を確実に防止することができる。
以上、この発明をデジタル複合機に適用した実施形態について説明したが、この発明はこれに限らず、画像読取装置，デジタル複写機，プリンタ装置，ファクシミリ装置，ネットワークファイルサーバ等の各種の画像処理装置に適用可能である。
【産業上の利用可能性】
【００４２】
以上の説明から明らかなように、この発明によれば、重要な画像データの複写や流布を未然に防いだり、外部への画像データが重要なデータであることをユーザに気づかせ、注意を促すことができるため、外部に画像データを出力する際の利便性を向上させるこができる。したがって、外部に画像データを出力する際の利便性が高い画像処理装置を提供することができる。
【図面の簡単な説明】
【００４３】
【図１】この発明によるデジタル複合機のソフトウェア構成を中心に示すブロック図である。
【図２】図１に示したデジタル複合機のハードウェア構成を示すブロック構成図である。
【図３】この発明の第１実施例を説明するための図である。
【図４】この発明の第２実施例を説明するための図である。
【図５】この発明の第３実施例を説明するための図である。
【図６】この発明の第５実施例を説明するための図である。
【符号の説明】
【００４４】
１：デジタル複合機    ２：ソフトウェア群    ３：機器起動部
４：ハードウェア資源    ５：アプリケーション層    ６：プラットフォーム
９：コントロールサービス層    １０：ハンドラ層    １１：白黒レーザプリンタ
１２：カラーレーザプリンタ    １３：ハードウェアリソース    ２１：プリンタアプリ
２２：コピーアプリ    ２３：ファックスアプリ    ２４：スキャナアプリ
３１：ＮＣＳ    ３２：ＤＣＳ    ３３：ＯＣＳ    ３４：ＦＣＳ    ３５：ＥＣＳ
３６：ＭＣＳ    ３７：ＵＣＳ    ３８：ＳＣＳ    ３９：ＳＲＭ    ４０：ＦＣＵＨ
４１：ＩＭＨ    ４２：ＭＥＵ    ４３：ＭＬＣ    ５３：ＡＰＩ
５４：エンジンＩ／Ｆ    ６０：コントローラ    ６１：ＣＰＵ
６２：システムメモリ    ６３：ＮＢ    ６４：ＳＢ    ６５：ＡＧＰ
６６：ＡＳＩＣ    ６７：ローカルメモリ    ６８：ＨＤＤ
７０：オペレーションパネル    ８０：ＦＣＵ    ９０：ＵＳＢデバイス
１００：ＩＥＥＥ１３９４デバイス    １２０：エンジン部    １３０：ＰＣＩバス
【図１】
2008072581.tif 000003
【図２】
2008072581.tif 000004
【図３】
2008072581.tif 000005
【図４】
2008072581.tif 000006
【図５】
2008072581.tif 000007
【図６】
2008072581.tif 000008